(57)【要約】【課題】ユーザにとって通話への支障を抑止しながら受話音量を制御することを可能とする。【解決手段】携帯端末と通話を行う他の携帯端末に対応する受話音量を求め（ステップＳ２０１からステップＳ２０８）、この受話音量を用いて通話が開始され、通話中に、携帯端末に対して発せられるユーザの音声が、所定の条件を満たした場合（ステップＳ２１０）、受話音量を上げて通話を行い（ステップＳ２１１）、携帯端末が耳元から離れた場合、受話音量を下げて通話を行う。【選択図】図２
2013135462.tif 000002
【特許請求の範囲】
【請求項１】
他の携帯端末と通話が可能な携帯端末であって、
ユーザが発する音声に対応して受話音量を上げるための条件を記憶する第一の記憶手段と、
ユーザが発する音声を取得する音声処理手段と、
前記他の携帯端末から音声を受信する送受信手段と、
前記音声処理手段によって取得した音声が前記第一の記憶手段によって記憶した条件を満たした場合、前記受話音量を上げる制御手段と、
を備え、
前記音声処理手段は、前記制御手段によって上げられた前記受話音量を用いて、前記送受信手段によって受信した音声を発することを特徴とする携帯端末。
【請求項２】
前記条件は、ユーザが発する言葉であることを特徴とする請求項１に記載の携帯端末。
【請求項３】
前記携帯端末に対応させて受話音量を記憶する第二の記憶手段を備え、
前記制御手段は、前記第二の記憶手段に記憶された通話を行う前記他の携帯端末に対応する受話音量を取得することを特徴とする請求項１に記載の携帯端末。
【請求項４】
ユーザと前記携帯端末との距離を測定する測定手段と、
前記制御手段は、前記測定手段によってユーザと前記携帯端末との距離が所定距離以上となった場合、前記受話音量を下げることを特徴とする請求項１乃至３の何れか１項に記載の携帯端末。
【請求項５】
他の携帯端末と通話が可能な携帯端末の制御方法であって、
前記携帯端末の音声処理手段が、ユーザが発する音声を取得する音声処理ステップ、
前記携帯端末の送受信手段が、前記他の携帯端末から音声を受信する送受信ステップ、
前記携帯端末の制御手段が、前記音声処理ステップによって取得した音声がユーザが発する音声に対応して受話音量を上げるための条件を記憶する第一の記憶手段によって記憶した条件を満たした場合、前記受話音量を上げる制御ステップ、
を含み、
前記音声処理ステップは、前記制御ステップによって上げられた前記受話音量を用いて、前記送受信手段によって受信した音声を発することを含む携帯端末の制御方法。
【請求項６】
他の携帯端末と通話が可能な携帯端末で実行されるプログラムであって、
前記携帯端末を、
ユーザが発する音声を取得する音声処理手段と、
前記他の携帯端末から音声を受信する送受信手段と、
前記音声処理手段によって取得した音声が、ユーザが発する音声に対応して受話音量を上げるための条件を記憶する第一の記憶手段によって記憶した条件を満たした場合、前記受話音量を上げる制御手段と、
して機能させ、
前記音声処理手段は、前記制御手段によって上げられた前記受話音量を用いて、前記送受信手段によって受信した音声を発するように機能させることを特徴とするプログラム。
【発明の詳細な説明】
【技術分野】
【０００１】
本発明は、携帯端末における音声認識による受話音量の自動調整の制御に関する。
【背景技術】
【０００２】
携帯電話等の携帯端末での通話中に、受話音量が低いために相手の声が聞こえ難い場合、受話音量のレベルアップを行い、ユーザが携帯電話に対して手動で任意の音量レベルに変更を行う必要がある。
【０００３】
そこで、騒音環境下での騒音レベルによって受話音量を調整する携帯電話端末（例えば、特許文献１）、周囲音圧に応じて最適な受話音量を制御する携帯電話端末（例えば、特許文献２）、携帯電話端末を振ることで受話音量のレベルアップを行うシステムが記載されている（例えば、特許文献３）。
【先行技術文献】
【特許文献】
【０００４】
【特許文献１】特開２０１０−９８３８１号公報
【特許文献２】特開２００９−２０６６１６号公報
【特許文献３】特開平１１−２５２２４０号公報
【発明の概要】
【発明が解決しようとする課題】
【０００５】
しかしながら、特許文献１及び２に記載の技術では、通話中に相手の声が聞き取りづらい時などに、ユーザ自身が受話音量のレベルアップを行う必要が生じ、その間、携帯電話端末を耳元から離し、受話音量のレベルアップの設定を行う必要が生じるため、会話が一時的に途切れてしまうという問題が生じ得る。
【０００６】
また、通話開始の際に、電話に出たものの、同じように受話音量のレベルアップの設定を行う必要が生じるため、相手方は、電話の故障を疑ったり、電話に出ているのか否かが不明瞭になったり等から、再度、電話をかけ直したりする等の手間が生じ得る。
【０００７】
また、上記特許文献３に記載の技術でも同様に、通話中に、受話音量のレベルアップの設定を行う必要が生じるため同様な問題が生じ得る。
【０００８】
そこで、本発明では、ユーザにとって通話への支障を抑止しながら受話音量を制御することを可能とする携帯端末、制御方法、及びプログラムを提供することを目的とする。
【課題を解決するための手段】
【０００９】
上記問題を解決するための第一の発明は、他の携帯端末と通話が可能な携帯端末であって、ユーザが発する音声に対応して受話音量を上げるための条件を記憶する第一の記憶手段と、ユーザが発する音声を取得する音声処理手段と、前記他の携帯端末から音声を受信する送受信手段と、前記音声処理手段によって取得した音声が前記第一の記憶手段によって記憶した条件を満たした場合、前記受話音量を上げる制御手段と、を備え、前記音声処理手段は、前記制御手段によって上げられた前記受話音量を用いて、前記送受信手段によって受信した音声を発することを特徴とする携帯端末である。
【００１０】
上記問題を解決するための第二の発明は、他の携帯端末と通話が可能な携帯端末の制御方法であって、前記携帯端末の音声処理手段が、ユーザが発する音声を取得する音声処理ステップ、前記携帯端末の送受信手段が、前記他の携帯端末から音声を受信する送受信ステップ、前記携帯端末の制御手段が、前記音声処理ステップによって取得した音声がユーザが発する音声に対応して受話音量を上げるための条件を記憶する第一の記憶手段によって記憶した条件を満たした場合、前記受話音量を上げる制御ステップ、を含み、前記音声処理ステップは、前記制御ステップによって上げられた前記受話音量を用いて、前記送受信手段によって受信した音声を発することを含む携帯端末の制御方法。
【００１１】
上記問題を解決するための第三の発明は、他の携帯端末と通話が可能な携帯端末で実行されるプログラムであって、前記携帯端末を、ユーザが発する音声を取得する音声処理手段と、前記他の携帯端末から音声を受信する送受信手段と、前記音声処理手段によって取得した音声が、ユーザが発する音声に対応して受話音量を上げるための条件を記憶する第一の記憶手段によって記憶した条件を満たした場合、前記受話音量を上げる制御手段と、して機能させ、前記音声処理手段は、前記制御手段によって上げられた前記受話音量を用いて、前記送受信手段によって受信した音声を発するように機能させることを特徴とするプログラムである。
【発明の効果】
【００１２】
本発明によれば、通話を行うユーザが発する音声によって受話音量を制御することで、ユーザにとって通話への支障を抑止しながら受話音量を制御することができる、という効果を奏する。
【図面の簡単な説明】
【００１３】
【図１】本発明の実施形態に係る携帯電話のシステム構成の一例を示す構成図である。
【図２】本発明における自動で受話音量をレベルアップする処理を示すフローチャートである。
【図３】本発明における自動で受話音量をレベルアップする処理を行うか否かを設定する処理を示すフローチャートである。
【図４】本発明における電話番号入力画面の構成を示す構成図である。
【図５】本発明におけるメインメニュー画面の構成を示す構成図である。
【図６】本発明における受話音量レベルアップ画面の構成を示す構成図である。
【図７】本発明における設定完了メッセージが表示されたことを説明するための構成図である。
【図８】本発明における設定完了メッセージが表示されたことを説明するための構成図である。
【図９】本発明の実施形態に係る携帯端末において実行される処理において利用するためのテーブルの構成を示す構成図である。
【発明を実施するための形態】
【００１４】
以下、図面を参照して、本発明の実施形態を詳細に説明する。
【００１５】
図１は、本発明の実施形態に係る携帯端末のシステム構成を示す構成図である。
【００１６】
携帯端末は、マイク１０１、音声処理部１０２、データ変換部１０３、制御部１０４、記憶部１０５、送受信部１０６、表示部１０７、キー操作部１０８、アンテナ１０９、スピーカ１１０、及びセンサー１１１を含んで構成される。
【００１７】
ユーザが所持している携帯端末を用いて、相手方が所持している携帯端末へ音声を送信する経路としては、ユーザによって言葉等の発せられた音声をマイク１０１から取得して、音声処理部１０２にて音声を音声信号として変換した後、音声処理部１０２は、音声信号をデータ変換部１０３へ出力する。
【００１８】
データ変換部１０３は、入力された音声信号を音声データへ変換して、制御部１０４へ出力する。
【００１９】
制御部１０４は、入力された音声データを送受信部１０６へ出力する。そして、送受信部１０６は、入力された音声データを音声信号に変換後、アンテナ１０９へ出力することで、相手方が所持している携帯端末との通話が行われる。
【００２０】
一方、相手方が所持している携帯端末から、ユーザが所持している携帯端末において音声を受信する経路としては、アンテナ１０９が、相手方が所持している携帯端末から送信された音声信号を受信し、受信した音声信号を送受信部１０６へ出力する。
【００２１】
送受信部１０６は、入力された音声信号を音声データへ変換して、制御部１０４へ出力し、制御部１０４は、音声データをデータ変換部１０３へ出力し、データ変換部１０３は、入力された音声データを音声信号に変換する。
【００２２】
そして、データ変換部１０３は、音声信号を音声処理部１０２に出力し、音声処理部１０２は、入力された音声信号をスピーカ１１０へ出力し、スピーカ１１０は、入力された音声信号を出力することで、相手方の携帯端末からの音声を受け取ることが可能となる。
【００２３】
以下、図２を参照して、本実施形態に係る携帯電話における受話音量の自動レベルアップの処理に関して説明する。
【００２４】
ステップＳ２０１では、発信時に電話番号入力画面２０１（図４参照）にて入力された番号を取得して、発信キー２０２が押下されたか否かを判定し、押下されたと判定した場合、ステップＳ２０２へ処理を進め、押下されたと判定しない場合、ステップＳ２０３へ処理を進める。
【００２５】
ステップＳ２０２では、キー操作部１０８より制御部１０４へ電話番号が出力され、そして、制御部１０４は、データ変換部１０３へ電話番号を出力し、電話番号情報に変換する。そして、相手方の携帯電話との通話を開始する。
【００２６】
ステップＳ２０３では、アンテナ１０９において、相手方の携帯電話から着信を受けたか否かを判定し、着信を受けたと判定した場合、ステップＳ２０４へ処理を進め、着信を受けたと判定しない場合、本処理を終了する。
【００２７】
ステップＳ２０４では、アンテナ１０９は、送受信部１０６に対して受信した音声信号を出力し、送受信部１０６は、入力された音声信号を音声データに変換し、データ変換部１０３へ出力する。そして、データ変換部１０３は、送受信部１０６から受けた音声データを電話番号情報に変換する。
【００２８】
ステップＳ２０５では、制御部１０４は、記憶部１０５に備えた受話音量レベルアップ設定情報テーブル（図９参照）から受話音量ＯＮ/ＯＦＦ設定を取得し、ＯＮであるかＯＦＦであるかを判定し、ＯＮであると判定した場合、ステップＳ２０６へ処理を進め、ＯＦＦであると判定した場合、ステップＳ２０７へ処理を進める。
【００２９】
受話音量レベルアップ設定情報テーブルは、通話を行う携帯端末に対して、通話中に、受話音量の自動変更を行うか否かを示す受話音量ＯＮ/ＯＦＦ設定を備えており、受話音量ＯＮ/ＯＦＦ設定がＯＮであれば、受話音量の自動変更を行い、受話音量ＯＮ/ＯＦＦ設定がＯＦＦであれば、受話音量の自動変更を行わないように制御する。
【００３０】
また、受話音量レベルアップ設定情報テーブルは、受話音量の自動変更を行わない場合、つまり受話音量ＯＮ/ＯＦＦ設定がＯＦＦの場合、デフォルトの受話音量を使用して通話を行うための受話音量のレベルを示す受話音量レベルを備えている。
【００３１】
尚、受話音量ＯＮ/ＯＦＦ設定がＯＮの場合は、アドレス帳情報テーブル（図９参照）に記憶されている受話音量レベルを用いて自動で受話音量の変更を行う（詳細後述）。
【００３２】
これは、通話する相手によっては、普段から小声で話をする、あるいは普段、電波の届きにくい地域との通話を行うため声が聞き取り難い、騒音が生じるような環境に置かれた相手方と通話をよくするため聞き取り難い等の通話上の支障を回避するため、携帯端末に対応して受話音量を予め設定しておくことで、受話音量の設定を手動で行うことなく、スムーズに通話をすることが可能となる。この設定は、画面（不図示）から入力設定することも可能である。
【００３３】
ステップＳ２０６では、ステップＳ２０２あるいはステップＳ２０４において取得した電話番号情報に含まれる電話番号が、アドレス帳情報テーブル（図９参照）の電話番号データに存在するか否かを判定し、存在すると判定した場合、ステップＳ２０８へ処理を進め、存在すると判定しない場合、ステップＳ２１７へ処理を進める。
【００３４】
アドレス帳情報テーブルは、携帯端末毎に受話音量に関する情報を設定するためのテーブルであり、レコードを一意に識別するためのＮＯ、携帯端末の所有者等の名称を示す名前、携帯端末の電話番号、及び携帯端末で通話する際の受話音量を含んで構成されている。
【００３５】
ステップＳ２０７では、制御部１０４は、デフォルトの受話音量レベルを取得するため、受話音量レベルアップ設定情報テーブルより受話音量レベルを取得する。
【００３６】
ステップＳ２０８では、制御部１０４は、ステップＳ２０２あるいはステップＳ２０４において取得した電話番号情報に含まれる電話番号に一致するアドレス帳情報テーブルの電話番号データに対応する受話音量レベルを取得する。
【００３７】
そして、制御部１０４は、ステップＳ２０７及びステップＳ２０８で取得した受話音量レベルを用いて、携帯端末に対する受話音量を設定するための受話音量設定値を定め、音声処理部１０２へ出力する。そして、音声処理部１０２は、受話音量設定値の音量でスピーカ１１０から音声を発する。
【００３８】
ステップＳ２０９では、制御部１０４は、キー操作部１０８から、通話を終了するための終話ボタン（不図示）が押下されたか否かを判定し、終話ボタン（不図示）が押下されたと判定した場合は、通話が終了したと見做して、ステップＳ２１４へ処理を進め、終話ボタン（不図示）が押下されたと判定しない場合は、通話が終了していないと見做して、ステップＳ２１０へ処理を進める。
【００３９】
ステップＳ２１０では、ユーザがマイク１０１に向かって発した言葉等の音声を、音声処理部１０２を通じてデータ変換部１０３へ音声信号として出力し、データ変換部１０３は、音声信号を音声データに変換し、制御部１０４は、マイク１０１に向かって発した言葉に一致する記憶部１０５に備えられた文言情報テーブル（図９参照）の文言データが存在するか否かを判定する。
【００４０】
文言情報テーブルは、レコードを一意に識別するためのＮＯ、ユーザがマイク１０１に向かって発した言葉等の音声によって、相手方の声が聞き取り難いために発する文言に関するデータを示す文言データを備えている。
【００４１】
文言データとは、例えば、相手方の声が聞き取りにくい場合、「もしもし」と復唱することや、「聞こえ難いのですが・・・・」等の問いかけを相手方に行うが、この際の文言に関するデータを示している。
【００４２】
マイク１０１に向かって発した言葉に一致する文言データが存在する場合、ステップＳ２１１へ処理を進め、存在しない場合は、ステップＳ２１２へ処理を進める。
【００４３】
ステップＳ２１１では、制御部１０４は、データ変換部１０３から出力された音声データから受話音量を算出し、現在の受話音量設定値で特定される受話音量よりも大きい場合は、受話音量レベルを所定段階アップする。
【００４４】
尚、文言情報テーブルには、文言データの復唱回数や所定時間における復唱回数等のデータを追加することで、より適切な処理を実行することも可能である。
【００４５】
つまり、ステップ２１０及びステップＳ２１１では、マイク１０１に向かって発した言葉に一致する文言データが存在し、更に、マイク１０１に向かって発した言葉の回数や所定時間における復唱回数が、文言情報テーブルの文言データの発生回数を超えた場合、制御部１０４は、データ変換部１０３から出力された音声データから受話音量を算出し、現在の受話音量設定値で特定される受話音量よりも大きい場合は、受話音量レベルを所定段階アップする。
【００４６】
また、文言データの音量に関する情報を文言情報テーブルに追加することで、ユーザが通常よりも大きな声で通話を行うことで、相手方の声が聞き難いことを想定し、自動で受話音量をレベルアップさせることが可能である。
【００４７】
例えば、ユーザが「もしもし」と発したとしても、「もしもし」の音量が、通常よりも大きな音量であれば、相手方の声が聞き難いことが想定されるため、受話音量のレベルアップが必要となる。
【００４８】
この場合、ステップ２１０及びステップＳ２１１では、マイク１０１に向かって発した言葉に一致する文言データが存在し、更に、マイク１０１に向かって発した言葉の音量が、文言情報テーブルの音量を超えた場合、制御部１０４は、データ変換部１０３から出力された音声データから受話音量を算出し、現在の受話音量設定値で特定される受話音量よりも大きい場合は、受話音量レベルを所定段階アップする。
【００４９】
ステップＳ２１２では、所定の時間間隔で、センサー１１１を用いて、ユーザと携帯端末との距離を測定して得られた値を制御部１０４へ出力する。そして、制御部１０４は、測定して得られた距離が、所定の距離以上となった場合、携帯端末が耳元から離れたと判定し、ステップＳ２１３へ処理を進め、所定の距離以上とならない場合、ステップＳ２０９へ処理を進める。
【００５０】
本ステップでは、受話音量が大きすぎるため、相手方との通話が困難になった場合、ユーザが、耳元から携帯端末を離すことによって、自動的に受話音量レベルをダウンすることを実現している。
【００５１】
ステップＳ２１３では、制御部１０４は、現在の受話音量レベルを所定段階ダウンさせ、ダウンさせた受話音量レベルを用いて、携帯端末に対する受話音量を設定するための受話音量設定値を定め、音声処理部１０２へ出力する。そして、音声処理部１０２は、受話音量設定値の音量でスピーカ１１０から音声を発する。
【００５２】
ステップＳ２１４では、制御部１０４は、ステップＳ２０２あるいはステップＳ２０４において取得した電話番号情報に含まれる電話番号が、アドレス帳情報テーブル（図９参照）の電話番号データに存在するか否かを判定し、存在すると判定した場合、ステップＳ２１６へ処理を進め、存在すると判定しない場合、ステップＳ２１５へ処理を進める。
【００５３】
ステップＳ２１５では、制御部１０４は、受話音量レベルアップ設定情報テーブルの受話音量レベルを、現在、通話を行っている受話音量レベルで更新し、ステップＳ２１６では、制御部１０４は、ステップＳ２０２あるいはステップＳ２０４において取得した電話番号に一致するアドレス情報テーブルの電話番号データに対応する受話音量レベルを、現在、通話を行っている受話音量レベルで更新する。
【００５４】
ステップＳ２１７では、制御部１０４は、デフォルトの受話音量レベルを取得するため、受話音量レベルアップ設定情報テーブルより受話音量レベルを取得する。
【００５５】
ステップＳ２１８では、制御部１０４は、キー操作部１０８から、通話を終了するための終話ボタン（不図示）が押下されたか否かを判定し、終話ボタン（不図示）が押下されたと判定した場合は、通話が終了したと見做して、本処理を終了する。
【００５６】
以下、図３を参照して、本実施形態に係る携帯電話における受話音量の自動変更を行うか否かの設定処理に関して説明する。
【００５７】
ステップＳ３０１では、制御部１０４は、メインメニュー画面２０３（図５参照）からキー操作部１０８によって受話音量レベルアップ画面２０４（図６参照）を起動し、受話音量レベルアップ設定情報テーブルの受話音量設定ＯＮ／ＯＦＦ設定を取得して、受話音量レベルアップ画面２０４に出力する。
【００５８】
受話音量レベルアップ画面２０４は、受話音量を自動変更する場合に選択するための設定するボタン２０５、受話音量を自動変更しない場合に選択するための設定しないボタン２０６、自動変更する／しないを確定する際に押下するためのＯＫボタン２０７を備えている。
【００５９】
ステップＳ３０２では、制御部１０４は、キー操作部１０８から、受話音量レベルアップ画面２０４のＯＫボタン２０７が押下されたか否かを判定し、押下されたと判定した場合、ステップＳ３０３へ処理を進め、ステップＳ３０３では、制御部１０４は、キー操作部１０８から、設定するボタン２０５、あるいは、設定しないボタン２０６の何れのボタンが押下されたかを判定する。
【００６０】
設定するボタン２０５が押下されたと判定した場合は、ステップＳ３０４へ処理を進め、設定しないボタン２０６が押下されたと判定した場合は、ステップＳ３０５へ処理を進める。
【００６１】
ステップＳ３０４では、受話音量レベルアップ設定情報の受話音量ＯＮ／ＯＦＦ設定をＯＮに設定し、図７に示す設定完了メッセージ２０８を表示し、ＯＫボタン２０９を押下すると本処理を終了する。
【００６２】
ステップＳ３０５では、受話音量レベルアップ設定情報の受話音量ＯＮ／ＯＦＦ設定をＯＦＦに設定し、図８に示す設定完了メッセージ２１０を表示し、ＯＫボタン２１１を押下すると本処理を終了する。
【００６３】
以上、本発明によれば、通話を行うユーザが発する音声によって受話音量を制御することで、ユーザにとって通話への支障を抑止しながら受話音量を制御することができる。
【００６４】
また、本発明は、例えば、方法、プログラムもしくは記憶媒体等としての実施態様をとることが可能であり、具体的には、複数の機器から構成されるシステムに適用しても良いし、また、一つの機器からなる装置に適用しても良い。
【００６５】
この場合、記録媒体から読み出されたプログラム自体が本発明の新規な機能を実現することになり、そのプログラムを記憶した記録媒体は本発明を構成することになる。プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００６６】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【００６７】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００６８】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００６９】
さらに、本発明を達成するためのプログラムをネットワーク上のサーバ，データベース等から通信プログラムによりダウンロードして読み出すことによって、そのシステム、あるいは装置が、本発明の効果を享受することが可能となる。なお、上述した各実施形態およびその変形例を組み合わせた構成も全て本発明に含まれるものである。
【符号の説明】
【００７０】
１０１    マイク
１０２    音声処理部
１０３    データ変換部
１０４    制御部
１０５    記憶部
１０６    送受信部
１０７    表示部
１０８    キー操作部
１０９    アンテナ
１１０    スピーカ
１１１    センサー
【図１】
2013135462.tif 000003
【図２】
2013135462.tif 000004
【図３】
2013135462.tif 000005
【図４】
2013135462.tif 000006
【図５】
2013135462.tif 000007
【図６】
2013135462.tif 000008
【図７】
2013135462.tif 000009
【図８】
2013135462.tif 000010
【図９】
2013135462.tif 000011